(57)【要約】【課題】直感的な操作で簡便に外部端末との通信を実現する画像表示装置を提供する。【解決手段】操作方向の要素を含む入力操作を受け付ける操作入力手段としての入力制御部２８と、外部端末２０に対して所定の信号を送信すること又はその外部端末２０から所定の信号を受信することでその外部端末２０の有無を判定する通信対象判定手段４２と、前記タッチパネル２４により受け付けられた入力操作の操作方向を判定する操作方向判定手段４０と、前記通信対象判定手段４２により前記外部端末２０が有ると判定された場合において、前記操作方向判定手段４０により判定された前記入力操作の操作方向に向かって所定の画像情報を送信する情報送信制御手段４４とを、備えたものであることから、操作方向の要素を含む直感的な操作によりその方向における外部端末２０に対して所定の画像情報を送信することができる。【選択図】図３
2011065518.tif 000002
【特許請求の範囲】
【請求項１】
所定の記憶装置に記憶された画像情報を読み出してディスプレイに表示させる画像表示装置であって、
操作方向の要素を含む入力操作を受け付ける操作入力手段と、
外部端末に対して所定の信号を送信すること又は該外部端末から所定の信号を受信することで該外部端末との通信状態を判定する通信対象判定手段と、
前記操作入力手段により受け付けられた入力操作の操作方向を判定する操作方向判定手段と、
前記通信対象判定手段により前記外部端末と通信状態であると判定された場合において、前記操作方向判定手段により判定された前記入力操作の操作方向に対応付けられた条件で所定の画像情報を送信する情報送信手段と
を、備えたものであることを特徴とする画像表示装置。
【請求項２】
前記通信対象判定手段は、前記ディスプレイを基準位置としてそれぞれ異なる複数の方向に向けて前記所定の信号を送信すること又はそれら複数の方向のうち何れかの方向から前記所定の信号を受信することで、前記外部端末がそれら複数の方向のうち何れの方向に存在するかを判定できるものであり、
前記情報送信手段は、前記操作方向判定手段により判定された前記入力操作の操作方向と前記通信対象判定手段により判定された前記外部端末が存在する方向とが一致する場合において、該方向に向かって前記所定の画像情報を送信するものである
請求項１に記載の画像表示装置。
【請求項３】
前記画像表示装置は更に、他の前記画像表示装置に備えられた前記情報送信手段により送信された画像情報を受信する情報受信手段を備えたものである請求項１又は２に記載の画像表示装置。
【請求項４】
前記通信対象判定手段により前記外部端末が無いと判定された場合には、前記情報送信手段は、前記画像情報の送信を行わないものである請求項１から３の何れか１項に記載の画像表示装置。
【請求項５】
前記情報送信手段は、前記送信に係る画像情報を、前記操作方向判定手段により判定された該画像情報の送信方向に関して複数に分割すると共に、該分割された複数の部分画像情報を該送信方向の先頭側から順番に送信するものであり、
前記情報受信手段により受信される前記複数の部分画像情報を、受信順に逐次前記ディスプレイに並べて表示させる表示制御手段
を備えたものである請求項３又は４に記載の画像表示装置。
【請求項６】
前記情報送信手段は、前記操作方向判定手段により判定された前記入力操作の操作方向に応じて前記画像情報の送信先である外部端末の割付を行い、該割付に従って対象となる外部端末へ該画像情報の送信を行うものである請求項１から５の何れか１項に記載の画像表示装置。
【請求項７】
所定の記憶装置に記憶された画像情報を読み出してディスプレイに表示させる画像表示装置における画像表示方法であって、
操作方向の要素を含む入力操作を受け付ける操作入力過程と、
外部端末に対して所定の信号を送信すること又は該外部端末から所定の信号を受信することで該外部端末との通信状態を判定する通信対象判定過程と、
前記操作入力過程により受け付けられた入力操作の操作方向を判定する操作方向判定過程と、
前記通信対象判定過程により前記外部端末と通信状態であると判定された場合において、前記操作方向判定過程により判定された前記入力操作の操作方向に対応付けられた条件で所定の画像情報を送信する情報送信過程と
を、含むことを特徴とする画像表示方法。
【請求項８】
所定の記憶装置に記憶された画像情報を読み出してディスプレイに表示させる画像表示装置に備えられた制御装置を、
操作方向の要素を含む入力操作を受け付ける操作入力手段、
外部端末に対して所定の信号を送信すること又は該外部端末から所定の信号を受信することで該外部端末との通信状態を判定する通信対象判定手段、
前記操作入力手段により受け付けられた入力操作の操作方向を判定する操作方向判定手段、
及び、前記通信対象判定手段により前記外部端末と通信状態であると判定された場合において、前記操作方向判定手段により判定された前記入力操作の操作方向に対応付けられた条件で所定の画像情報を送信する情報送信手段
として機能させることを特徴とする画像表示プログラム。
【発明の詳細な説明】
【技術分野】
【０００１】
本発明は、所定の記憶装置に記憶された画像情報を読み出してディスプレイに表示させる画像表示装置、画像表示方法、及び画像表示プログラムに関し、特に、直感的な操作で簡便に外部端末との通信を実現するための改良に関する。
【背景技術】
【０００２】
所定の記憶装置に記憶された画像情報を読み出してディスプレイに表示させる画像表示装置が広く一般に用いられている。例えば、デジタルカメラにより撮影された画像情報やパーソナルコンピュータにより加工された画像情報等を取り込んで記憶装置に記憶し、所定の操作に応じてその記憶装置に記憶された画像情報を読み出してディスプレイに表示させる所謂デジタルフォトフレーム等がそれである。そのような画像表示装置において、情報のコピーや移動等を簡便に実行するための技術が提案されている。例えば、特許文献１に記載された情報処理装置がそれである。
【先行技術文献】
【特許文献】
【０００３】
【特許文献１】特開２００６−３０９３３３号公報
【発明の概要】
【発明が解決しようとする課題】
【０００４】
しかし、前述した従来の技術は、タッチパネルディスプレイに対する備え付けのペンの接触、及びそのペンに備えられたスイッチのオン・オフに応じてその端末内（内蔵メモリ内）における情報のコピー乃至ペースト等を行うものであり、複数の機器相互間における情報の送受信には適用し得ないものであった。また、斯かる従来の技術においては、利用者が直感的な操作で情報の送受信を行うことはできなかった。このため、直感的な操作で簡便に外部端末との通信を実現する技術の開発が求められていた。
【０００５】
本発明は、以上の事情を背景として為されたものであり、その目的とするところは、直感的な操作で簡便に外部端末との通信を実現する画像表示装置、画像表示方法、及び画像表示プログラムを提供することにある。
【課題を解決するための手段】
【０００６】
斯かる目的を達成するために、本第１発明の要旨とするところは、所定の記憶装置に記憶された画像情報を読み出してディスプレイに表示させる画像表示装置であって、操作方向の要素を含む入力操作を受け付ける操作入力手段と、外部端末に対して所定の信号を送信すること又はその外部端末から所定の信号を受信することでその外部端末との通信状態を判定する通信対象判定手段と、前記操作入力手段により受け付けられた入力操作の操作方向を判定する操作方向判定手段と、前記通信対象判定手段により前記外部端末と通信状態であると判定された場合において、前記操作方向判定手段により判定された前記入力操作の操作方向に対応付けられた条件で所定の画像情報を送信する情報送信手段とを、備えたことを特徴とするものである。
【０００７】
また、前記目的を達成するために、本第２発明の要旨とするところは、所定の記憶装置に記憶された画像情報を読み出してディスプレイに表示させる画像表示装置における画像表示方法であって、操作方向の要素を含む入力操作を受け付ける操作入力過程と、外部端末に対して所定の信号を送信すること又はその外部端末から所定の信号を受信することでその外部端末との通信状態を判定する通信対象判定過程と、前記操作入力過程により受け付けられた入力操作の操作方向を判定する操作方向判定過程と、前記通信対象判定過程により前記外部端末と通信状態であると判定された場合において、前記操作方向判定過程により判定された前記入力操作の操作方向に対応付けられた条件で所定の画像情報を送信する情報送信過程とを、含むことを特徴とするものである。
【０００８】
また、前記目的を達成するために、本第３発明の要旨とするところは、所定の記憶装置に記憶された画像情報を読み出してディスプレイに表示させる画像表示装置に備えられた制御装置を、操作方向の要素を含む入力操作を受け付ける操作入力手段、外部端末に対して所定の信号を送信すること又はその外部端末から所定の信号を受信することでその外部端末との通信状態を判定する通信対象判定手段、前記操作入力手段により受け付けられた入力操作の操作方向を判定する操作方向判定手段、及び、前記通信対象判定手段により前記外部端末と通信状態であると判定された場合において、前記操作方向判定手段により判定された前記入力操作の操作方向に対応付けられた条件で所定の画像情報を送信する情報送信手段として機能させることを特徴とする画像表示プログラムである。
【発明の効果】
【０００９】
このように、前記第１発明によれば、操作方向の要素を含む入力操作を受け付ける操作入力手段と、外部端末に対して所定の信号を送信すること又はその外部端末から所定の信号を受信することでその外部端末との通信状態を判定する通信対象判定手段と、前記操作入力手段により受け付けられた入力操作の操作方向を判定する操作方向判定手段と、前記通信対象判定手段により前記外部端末と通信状態であると判定された場合において、前記操作方向判定手段により判定された前記入力操作の操作方向に対応付けられた条件で所定の画像情報を送信する情報送信手段とを、備えたものであることから、操作方向の要素を含む直感的な操作によりその方向における外部端末に対して所定の画像情報を送信することができる。すなわち、直感的な操作で簡便に外部端末との通信を実現する画像表示装置を提供することができる。
【００１０】
ここで、前記第１発明において、好適には、前記通信対象判定手段は、前記ディスプレイを基準位置としてそれぞれ異なる複数の方向に向けて前記所定の信号を送信すること又はそれら複数の方向のうち何れかの方向から前記所定の信号を受信することでで、前記外部端末がそれら複数の方向のうち何れの方向に存在するかを判定できるものであり、前記情報送信手段は、前記操作方向判定手段により判定された前記入力操作の操作方向と前記通信対象判定手段により判定された前記外部端末が存在する方向とが一致する場合において、その方向に向かって前記所定の画像情報を送信するものである。このようにすれば、所定の操作方向に係る直感的な入力操作に応じて、その方向に存在する外部端末に対して簡便且つ実用的な態様で所定の画像情報を送信することができる。
【００１１】
また、好適には、前記画像表示装置は更に、他の前記画像表示装置に備えられた前記情報送信手段により送信された画像情報を受信する情報受信手段を備えたものである。このようにすれば、複数の前記画像表示装置相互間において、直感的な操作で簡便に情報の送受信を実現することができる。
【００１２】
また、好適には、前記通信対象判定手段により前記外部端末が無いと判定された場合には、前記情報送信手段は、前記画像情報の送信を行わないものである。このようにすれば、通信対象である前記外部端末の存在が確認できない場合に、無駄な情報の送信が行われるのを抑制することができる。
【００１３】
また、好適には、前記情報送信手段は、前記送信に係る画像情報を、前記操作方向判定手段により判定されたその画像情報の送信方向に関して複数に分割すると共に、その分割された複数の部分画像情報をその送信方向の先頭側から順番に送信するものであり、前記情報受信手段により受信される前記複数の部分画像情報を、受信順に逐次前記ディスプレイに並べて表示させる表示制御手段を備えたものである。このようにすれば、複数の前記画像表示装置相互間における画像情報の送受信に関して、直感的な操作に対応する視覚的な効果を実現することができる。
【００１４】
また、好適には、前記情報送信手段は、前記操作方向判定手段により判定された前記入力操作の操作方向に応じて前記画像情報の送信先である外部端末の割付を行い、その割付に従って対象となる外部端末へその画像情報の送信を行うものである。このようにすれば、前記操作方向の要素を含む操作の時点でその操作方向に通信対象となる外部端末が存在しない場合であっても、その操作方向に割付られた所定の外部端末に対して後に前記画像情報の送信を行う等の制御が可能とされる。
【００１５】
また、前記第２発明によれば、操作方向の要素を含む入力操作を受け付ける操作入力過程と、外部端末に対して所定の信号を送信すること又はその外部端末から所定の信号を受信することでその外部端末との通信状態を判定する通信対象判定過程と、前記操作入力過程により受け付けられた入力操作の操作方向を判定する操作方向判定過程と、前記通信対象判定過程により前記外部端末と通信状態であると判定された場合において、前記操作方向判定過程により判定された前記入力操作の操作方向に対応付けられた条件で所定の画像情報を送信する情報送信過程とを、含むことから、操作方向の要素を含む直感的な操作によりその方向における外部端末に対して所定の画像情報を送信することができる。すなわち、直感的な操作で簡便に外部端末との通信を実現する画像表示方法を提供することができる。
【００１６】
また、前記第３発明によれば、前記画像表示装置に備えられた制御装置を、操作方向の要素を含む入力操作を受け付ける操作入力手段、外部端末に対して所定の信号を送信すること又はその外部端末から所定の信号を受信することでその外部端末との通信状態を判定する通信対象判定手段、前記操作入力手段により受け付けられた入力操作の操作方向を判定する操作方向判定手段、及び、前記通信対象判定手段により前記外部端末と通信状態であると判定された場合において、前記操作方向判定手段により判定された前記入力操作の操作方向に対応付けられた条件で所定の画像情報を送信する情報送信手段として機能させるものであることから、操作方向の要素を含む直感的な操作によりその方向における外部端末に対して所定の画像情報を送信することができる。すなわち、直感的な操作で簡便に外部端末との通信を実現する画像表示プログラムを提供することができる。
【図面の簡単な説明】
【００１７】
【図１】本発明の一実施例である画像表示装置の外観を大まかに示す図である。
【図２】本発明の一実施例である画像表示装置の構成を説明するブロック線図である。
【図３】図２の画像表示装置における制御部に備えられた制御機能の要部を説明する機能ブロック線図である。
【図４】図２の画像表示装置による他の画像表示装置の有無の判定乃至その方向判定について説明する図である。
【図５】図２の画像表示装置から他の画像表示装置に対しての画像情報の送信に際して、その画像表示装置のタッチパネルディスプレイに画像送信確認画面が表示されている状態を示す図である。
【図６】図５に示す画像表示装置のタッチパネルディスプレイにおいてコピーボタンに対する接触操作が行われた場合に、送信に係る画像情報が複数の部分画像情報に分割される様子を示す図である。
【図７】図６に示すように分割された複数の部分画像それぞれに対応する部分画像情報が送信元の画像表示装置から送信先の画像表示装置へ順次送信される様子を示す図である。
【図８】図６に示すように分割された複数の部分画像それぞれに対応する部分画像情報が送信元の画像表示装置から送信先の画像表示装置へ順次送信される様子を示す図であり、図７に続く段階を示している。
【図９】図６に示すように分割された複数の部分画像それぞれに対応する部分画像情報が送信元の画像表示装置から送信先の画像表示装置へ順次送信される様子を示す図であり、図８に続く段階を示している。
【図１０】図５乃至図９に示す一連の制御の結果として、送信元の画像表示装置から送信先の画像表示装置への画像情報の送信が完了した様子を示す図である。
【図１１】図２の画像表示装置の制御部による画像転送制御の要部を説明するフローチャートである。
【図１２】図１１に示す画像転送制御の一部である画像送信／表示制御の要部を説明するフローチャートである。
【図１３】図１２に示す画像送信／表示制御に対応して受信側の画像表示装置において実行される受信側制御の要部を説明するフローチャートである。
【図１４】図２の画像表示装置の制御部による画像転送制御の他の一例の要部を説明するフローチャートである。
【図１５】図１１又は図１４に示す画像転送制御の一部である画像送信／表示制御の他の一例の要部を説明するフローチャートである。
【図１６】図１５に示す画像送信／表示制御に対応して受信側の画像表示装置において実行される受信側制御の要部を説明するフローチャートである。
【発明を実施するための形態】
【００１８】
以下、本発明の好適な実施例を図面に基づいて詳細に説明する。
【実施例】
【００１９】
図１は、本発明の一実施例である画像表示装置１０の外観を大まかに示す図である。また、図２は、斯かる画像表示装置１０の構成を説明するブロック線図である。これらの図に示すように、本実施例の画像表示装置１０は、所定の画像（映像）を表示させると共に、利用者の接触操作に応じて入力を行うためのタッチパネルディスプレイ１２を備えている。また、図２に示すように、上記画像表示装置１０による画像表示制御をはじめとする各種制御を実行する制御部１４と、複数の画像情報（画像ファイル）を記憶するフラッシュメモリ等の記憶部１６と、外部端末２０との間で情報の通信を行うための通信部１８とを、備えて構成されている。
【００２０】
図２に示すように、上記タッチパネルディスプレイ１２は、そのタッチパネルディスプレイ１２に所定の映像を表示させるディスプレイとしての表示装置２２と、利用者の指や図示しない備え付けのペン等による上記タッチパネルディスプレイ１２への接触により入力を行うタッチパネル２４とを、備えて構成されている。また、上記画像表示装置１２には、上記表示装置２２による画像（映像）の表示制御を行う表示制御部２６と、上記タッチパネル２４により入力される入力情報を処理する入力制御部２８とが備えられており、それら表示制御部２６及び入力制御部２８により上記表示装置２２及びタッチパネル２４を介して上記タッチパネルディスプレイ１２による画像表示制御乃至情報入力制御が実行される。ここで、上記タッチパネル２４においては、例えば利用者の指やペン等をそのタッチパネル２４に押圧した状態で所定の方向に向けてなぞる（スライドさせる）等の入力操作が可能とされており、そのタッチパネル２４乃至入力制御部２８を介して操作方向の要素を含む入力操作が受け付けられるようになっている。すなわち、本実施例においては、上記入力制御部２８が前記タッチパネル２４による操作方向の要素を含む入力操作を受け付ける操作入力手段として機能する。
【００２１】
また、図２に示すように、前記制御部１４は、中央演算処理装置であるＣＰＵ３０と、読出専用メモリであるＲＯＭ３２と、随時書込読出メモリであるＲＡＭ３４とを、備えて構成されている。すなわち、前記制御部１４は、上記ＲＡＭ３４の一時記憶機能を利用しつつ上記ＲＯＭ３２に記憶された情報に基づいて上記ＣＰＵ３０により種々の情報処理を実行する所謂マイクロコンピュータであり、上記表示制御部２６を介して前記タッチパネルディスプレイ１２（表示装置２２）に所定の画像を表示させる画像表示制御、そのタッチパネルディスプレイ１２（タッチパネル２４）への接触操作に応じて上記入力制御部２８を介して入力される入力信号を処理する入力処理制御、及び前記通信部１８を介して前記外部端末２０との間で情報の通信を行う情報通信制御等、本実施例の画像表示装置１０に関する各種制御を実行する。
【００２２】
前記記憶部１６には、前記表示制御部２６を介して前記タッチパネルディスプレイ１２（表示装置２２）に所定の画像を表示させるための画像情報として、例えばＪＰＥＧ（Joint Photographic Experts Group）、ＰＮＧ（Portable network graphics）、ＧＩＦ（Graphics interchange format）等のファイル形式の画像データ（画像ファイル）が、それぞれの識別情報をインデックスとして記憶されている。なお、前記表示装置２２は、静止画像のみならず動画を表示させるものであってもよく、前記記憶部１６に記憶される画像情報は、静止画に対応するものであると動画に対応するものであるとを問わない。
【００２３】
前記通信部１８は、例えば赤外線送信部及び赤外線受信部から成り、前記外部端末２０に対して赤外線により情報を送信すると共に、その外部端末２０から送信される赤外線信号を受信する赤外線ポートである。すなわち、本実施例の画像表示装置１０は、赤外線信号により前記外部端末２０との間で情報の通信を行うものであるため、その外部端末２０との間で相互の認証を行う必要がない。また、好適には、図１に示すように、前記タッチパネルディスプレイ１２を基準位置としてそれぞれ異なる複数の方向に対応して複数（図１では３つ）の通信部１８ａ、１８ｂ、１８ｃが備えられたものであり、それぞれ対応する方向に向けての上記赤外線による情報の送信及びその方向からの赤外線信号の受信が可能とされている。なお、図１に示す例では、前記タッチパネルディスプレイ１２の平面方向であって第１の方向（紙面向かって左方向）に対応して通信部１８ａが、その第１の方向に垂直を成す第２の方向（紙面向かって上方向）に対応して通信部１８ｂが、その第２の方向に垂直を成すと共に上記第１の方向の反対方向である第３の方向（紙面向かって右方向）に対応して通信部１８ｃがそれぞれ設けられている。
【００２４】
上述のような前記通信部１８を備えていることにより、本実施例の画像表示装置１０は、図４等を用いて後述するように、前記通信部１８を介して他の画像表示装置１０′（図２乃至図３に示す構成を備えた本実施例の画像表示装置１０である別の機体）との間で相互に情報の送受信を行い得るものである。換言すれば、前記外部端末２０は自機とは異なる他の画像表示装置１０′であってもよい。また、本実施例において、前記通信部１８は、前記記憶部１６に記憶された所定の画像情報を他の画像表示装置１０′へ送信する情報送信手段として機能すると共に、他の画像表示装置１０′に備えられた前記通信部１８により送信された画像情報を受信する情報受信手段として機能する。
【００２５】
図３は、前記制御部１４に備えられた制御機能の要部を説明する機能ブロック線図である。この図３に示す操作方向判定手段４０は、操作入力手段としての前記入力制御部２８により受け付けられた前記タッチパネル２４による入力操作の操作方向を判定する。前述のように、前記タッチパネル２４においては、例えば利用者の指やペン等をそのタッチパネル２４に押圧した状態で所定の方向に向けてなぞる（スライドさせる）等の操作（ジェスチャ）により操作方向の要素を含む入力操作を受け付け得るようになっており、上記操作方向判定手段４０は、そのようにして前記タッチパネル２４により入力されると共に前記入力制御部２８を介して受け付けられた入力操作の操作方向を判定する。例えば、図１に示すようにそれぞれ異なる３方向に対応して前記通信部１８ａ、１８ｂ、１８ｃを備えた本実施例の画像表示装置１０においては、前記入力制御部２８により受け付けられた前記タッチパネル２４による入力操作の操作方向がその３方向すなわち前記通信部１８ａ、１８ｂ、１８ｃの何れに向かう方向（何れの赤外線ポートに係る送信方向）であるかを判定する。
【００２６】
通信対象判定手段４２は、前記外部端末２０に対して所定の信号を送信すること又はその外部端末２０から所定の信号を受信することでその外部端末２０との通信状態を判定する。例えば、前記通信部１８から前記外部端末２０に対して所定の信号を送信し、その送信信号に応じてその外部端末２０から返信される返信信号を前記通信部１８により受信することでその外部端末２０の存在すなわちその有無を判定する。また、前述のように、本実施例の画像表示装置１０は、前記通信部１８を介して他の画像表示装置１０′との間で相互に情報の送受信を行い得るものであり、上記通信対象判定手段４２は、前記他の画像表示装置１０′に対して所定の信号を送信すること又はその画像表示装置１０′から所定の信号を受信することでその画像表示装置１０′の有無を判定する。このような他の画像表示装置１０′の有無の判定を好適に実現するため、本実施例の画像表示装置１０は、好適には、他の画像表示装置１０′の上記通信対象判定手段４２により送信された信号を前記通信部１８により受信した場合、自機の存在を示す返信信号をその画像表示装置１０′に対して返信する。また、好適には、自機の存在を示す信号を前記通信部１８から所定の時間間隔で送信し続けるものであり、上記通信対象判定手段４２は、そのようにして送信される信号を前記通信部１８により受信することでその画像表示装置１０の存在を判定する。
【００２７】
上記通信対象判定手段４２は、好適には、前記タッチパネルディスプレイ１２（表示装置２２）を基準位置としてそれぞれ異なる複数の方向に向けて前記所定の信号を送信すること又はそれら複数の方向のうち何れかの方向から前記所定の信号を受信することで、前記外部端末２０がそれら複数の方向のうち何れの方向に存在するかを判定する。図４は、本実施例の画像表示装置１０による他の画像表示装置１０′の有無の判定乃至その方向判定について説明する図である。前述のように、本実施例の画像表示装置１０、１０′には、前記タッチパネルディスプレイ１２を基準位置としてそれぞれ異なる３つの方向に対応して３つの通信部１８ａ、１８ｂ、１８ｃが備えられたものであり、それぞれ対応する方向に向けての前記赤外線による情報の送信及びその方向からの赤外線信号の受信が可能とされている。斯かる構成により、前記画像表示装置１０に対して前記他の画像表示装置１０′が前記３つの方向何れに配置されている場合であっても、対応する通信部１８ａ、１８ｂ、１８ｃの何れかにより赤外線信号の送受信が可能とされる。すなわち、上記通信対象判定手段４２は、好適には、前記タッチパネルディスプレイ１２（表示装置２２）を基準位置としてそれぞれ異なる複数の方向に対応して備えられた前記通信部１８ａ、１８ｂ、１８ｃにより前記他の画像表示装置１０′（外部端末２０）に向けて前記所定の信号を送信すること又はそれら複数の方向のうち何れかの方向から前記所定の信号を受信することで、その画像表示装置１０′が前記通信部１８ａ、１８ｂ、１８ｃのうち何れに対応する方向に存在するかを判定し（何れの通信部１８により情報の送信乃至受信が行われたかを判定し）、その判定結果に基づいてその画像表示装置１０′がそれら複数の方向のうち何れの方向に存在するかを判定する。
【００２８】
図３に戻って、情報送信制御手段４４は、前記通信対象判定手段４２により前記外部端末２０と通信状態であると判定された場合において、前記操作方向判定手段４０により判定された前記入力操作の操作方向に対応付けられた条件で情報送信手段としての前記通信部１８を介して所定の画像情報を送信する情報送信制御を行う。すなわち、前記タッチパネルディスプレイ１２（表示装置２２）を基準位置としてそれぞれ異なる複数の方向に対応して備えられた前記通信部１８ａ、１８ｂ、１８ｃのうち前記操作方向判定手段４０により判定された前記入力操作の操作方向に対応する通信部１８により前記外部端末２０に対して対象となる画像情報の送信を行う。換言すれば、前記通信対象判定手段４２により前記外部端末２０が無いと判定された場合には、斯かる画像情報の送信制御を行わない（非実行とする）。ここで、上記条件としては、前記操作方向判定手段４０により判定された前記入力操作の操作方向に対象となる外部端末が有るか否か等が考えられる。すなわち、上記情報送信制御手段４４は、前記操作方向判定手段４０により判定された前記入力操作の操作方向に対象となる外部端末が有ると判定された場合には上記送信を行う一方、その方向に対象となる外部端末が無いと判定された場合には上記送信を行わない（非送信とする）。
【００２９】
上記情報送信制御手段４４は、好適には、前記操作方向判定手段４０により判定された前記入力操作の操作方向と前記通信対象判定手段４２により判定された前記外部端末２０が存在する方向とが一致する場合において、その方向に向かって前記所定の画像情報を送信する。この送信制御は、例えば前記操作方向判定手段４０（タッチパネル２４）による入力操作の判定をトリガとして実行される。すなわち、前記タッチパネルディスプレイ１２（表示装置２２）に所定の画像が表示されている状態において、前記タッチパネル２４により所定の方向に向けてなぞる等の操作方向の要素を含む入力操作が行われてその入力操作が前記操作方向判定手段４０により判定された場合、その操作方向に対応して備えられた前記通信部１８ａ、１８ｂ、１８ｃの何れかを介して前記通信対象判定手段４２により前記外部端末２０（他の画像表示装置１０′）に向けて前記所定の信号が送信され（或いは定期的に送信される所定の信号が受信され）、その方向に対象となる外部端末２０が存在するか否かが判定される。そして、その方向すなわち前記操作方向判定手段４０により判定された操作方向に対象となる外部端末２０が通信状態であると判定された場合に、上記情報送信制御手段４４は送信に係る画像情報例えば前記操作方向判定手段４０による判定時に前記タッチパネルディスプレイ２０（表示装置２２）に表示されていた画像に対応する画像情報を前記記憶部１６から読み出して、前記操作方向判定手段４０により判定された前記入力操作の操作方向（通信対象判定手段４２により判定された前記外部端末２０が存在する方向）に対応する通信部１８を介して対象となる外部端末２０へその画像情報を送信する。
【００３０】
また、前記情報送信制御手段４４は、好適には、前記操作方向判定手段４０により判定された前記入力操作の操作方向に応じて前記画像情報の送信先である外部端末２０の割付を行い、その割付に従って対象となる外部端末２０へその画像情報の送信を行うものである。すなわち、前記操作方向判定手段４０により判定された前記入力操作の操作方向と、送信先である外部端末２０或いはその外部端末２０の記憶装置内における所定の記憶領域（フォルダ）等とを割り付け（対応付け）、その割付の時点で或いは事後的にその割付に従って対象となる外部端末２０へその画像情報を送信する。この割付は、送信先となる外部端末２０との間の実際の通信結果に応じて行われるものであってもよいし、予め定められたアドレス帳等から仮想的に割付が行われるものであってもよい。斯かる態様によれば、例えばグループでイベントに参加した際に撮影した画像情報を、メンバーそれぞれに振り分ける場合等において、その時点で各メンバーに対応する外部端末２０が無かった場合であっても、アドレス帳等に基づいて仮想的に操作方向とメンバーを対応付けることで上記画像情報を振り分け、事後的にその画像情報を各メンバーに対応する外部端末２０へ送信する等の制御が可能となる。
【００３１】
また、前記情報送信制御手段４４は、好適には、前記送信に係る画像情報を、前記操作方向判定手段４０により判定されたその画像情報の送信方向に関して複数に分割すると共に、その分割された複数の部分画像情報をその送信方向の先頭側から順番に送信する。また、このようにして前記情報送信制御手段４４により送信された複数の部分画像情報は、例えば外部端末２０としての前記他の画像表示装置１０′において順次受信される。そのようにして受信される複数の部分画像情報に関して、前記表示制御手段４６は、情報受信手段としての前記通信部１８により順次受信される前記複数の部分画像情報を、受信順に逐次前記タッチパネルディスプレイ１２（表示装置２２）に並べて表示させる画像表示制御を行う。以下、斯かる表示制御手段４６による画像表示制御を含む本実施例の画像表示装置１０による他の画像表示装置１０′を対象とする画像情報送信制御の具体例を、図５乃至図１０を用いて詳述する。
【００３２】
図５は、前記画像表示装置１０から他の画像表示装置１０′に対しての画像情報の送信に際して、その画像表示装置１０のタッチパネルディスプレイ１２に画像送信確認画面が表示されている状態を示す図である。この図５に示すように、前記タッチパネルディスプレイ１２（表示装置２２）に所定の画像４８（図５乃至図１０においては蓮の花が咲く池の風景を撮影した画像）が表示されている状態において、前記画像表示装置１０のタッチパネル２４により紙面左から右へ向かう方向（通信部１８ａから１８ｃへ向かう方向）に向けて利用者の指やペンによりなぞる等の操作方向の要素を含む入力操作が行われてその入力操作が前記操作方向判定手段４０により判定された場合、その操作方向（入力操作の向かう方向）に対応する通信部１８ｃから前記他の画像表示装置１０′に向けて所定の信号が送信される。その信号を受信した画像表示装置１０′における通信部１８ａ′から前記画像表示装置１０に向けて所定の信号が返信され、その信号が斯かる画像表示装置１０の通信部１８ｃにより受信されることで前記通信対象判定手段４２によりその方向における前記他の画像表示装置１０′の存在が判定され、その画像表示装置１０′に対する所定の画像すなわち上記判定の時点において前記画像表示装置１０のタッチパネルディスプレイ１２（表示装置２２）に表示されていた画像４８に対応する画像情報の送信操作が判定される。そのようにして送信操作が判定された場合、前記画像表示装置１０のタッチパネルディスプレイ１２には図５に示すような画像送信確認画面が表示される。すなわち、前記他の画像表示装置１０′に対する画像４８の複製（コピー）を選択するコピーボタン５０、その画像表示装置１０′に対する画像４８の移動（自機にその画像４８を残さない）を選択する移動ボタン５２、及び送信操作の取りやめを選択する取消ボタン５４が、前記タッチパネル２４による選択入力可能に前記表示装置２２に表示される。
【００３３】
図６は、図５に示す前記画像表示装置１０のタッチパネルディスプレイ１２において上記コピーボタン５０に対する接触操作が行われた場合に、送信に係る画像情報が複数の部分画像情報に分割される様子を示す図である。図５に示すような画像送信確認画面において上記コピーボタン５０に対する接触操作が行われた場合、図６に示すように、送信に係る画像情報すなわち前記画像４８に対応する画像情報（画像ファイル）が、前記操作方向判定手段４０により判定された操作方向すなわちその画像情報の送信方向に関して複数に分割される。すなわち、前記画像表示装置１０における通信部１８ａから１８ｃへ向かう方向へ入力操作が行われた図５乃至図６に示す例では、送信に係る前記画像４８に対応する画像情報がその方向に関して５等分に分割され、それぞれ５つの部分画像５６ａ〜５６ｅにそれぞれ対応する部分画像情報とされる。なお、この送信に係る画像情報を複数に分割して部分画像情報とする処理は、例えば前記ＣＰＵ３０等により不可視的に行われるものであるが、本実施例では説明の便宜のために前記画像４８が複数の部分画像５６ａ〜５６ｅに分割される様子を破線で示している。
【００３４】
図７乃至図９は、図６に示すように分割された複数の部分画像５６ａ〜５６ｅそれぞれに対応する部分画像情報が送信元（送信側）の画像表示装置１０から送信先（受信側）の画像表示装置１０′へ順次送信される様子を示す図である。図６に示すように送信方向に関して複数に分割された部分画像５６ａ〜５６ｅそれぞれに対応する部分画像情報は、図７乃至図９に示すようにその送信方向の先頭側から順番に（部分画像５６ｅ、５６ｄ、５６ｃ、５６ｂ、５６ａの順に）、送信元の画像表示装置１０における通信部１８ｃを介して送信先の画像表示装置１０′の通信部１８ａ′へ順次送信される。すなわち、送信先である前記画像表示装置１０′の側では、前記画像表示装置１０から送信される順番に上記複数の部分画像情報が（部分画像５６ｅ、５６ｄ、５６ｃ、５６ｂ、５６ａの順に）受信される。この画像情報（部分画像情報）の送信に際して、送信元である前記画像表示装置１０の表示制御手段４６では、図７乃至図９に示すように、あたかも複数に分割された部分画像５６ａ〜５６ｅが物理的に送信先である画像表示装置１０′へ送信されてゆくように、送信が行われた部分画像情報に対応する部分画像５６から消えてゆくように前記画像４８全体を前記送信方向（通信部１８ａから１８ｃへ向かう方向）にスライドさせて次第に前記タッチパネルディスプレイ１２（表示装置２２）の表示領域から消すような表示制御が行われる。一方、送信先である前記画像表示装置１０′の表示制御手段４６では、図７乃至図９に示すように、あたかも複数に分割された部分画像５６ａ〜５６ｅが物理的に送信元である画像表示装置１０から順次送信されてくる（受信される）ように、受信された部分画像情報に対応する部分画像５６から順番に現れるように前記画像４８の一部としての部分画像５６を受信方向（通信部１８ａ′から１８ｃ′へ向かう方向）にスライドさせて次第に前記タッチパネルディスプレイ１２′（表示装置２２）の表示領域に出現させるような表示制御が行われる。
【００３５】
図１０は、送信元の画像表示装置１０から送信先の画像表示装置１０′への画像情報の送信が完了した様子を示す図である。送信に係る全ての部分画像５６ａ〜５６ｅに対応する部分画像情報が送信先の画像表示装置１０′により受信された段階で、その画像表示装置１０′においてそれら部分画像情報の連結が行われる。斯かる画像連結処理により、前記画像表示装置１０から画像表示装置１０′への送信に係る画像４８に対応する画像情報がその画像表示装置１０′においても形成され、その画像表示装置１０′のタッチパネルディスプレイ１２′にその画像情報に対応する画像４８が表示される。一方、送信元の画像表示装置１０におけるタッチパネルディスプレイ１２には、再び送信対象である画像４８が表示されると共に（コピーであるために複製元に画像４８は残る）画像の送信が完了した旨の表示が行われる。以上、図５乃至図１０を用いて詳述したように、本実施例の画像表示装置１０相互間における画像情報の送信に際しては、送信元である画像表示装置１０から送信先である画像表示装置１０′へ送信対象である画像４８があたかも物理的に移動するような表示制御が行われ、その移動が視覚的に確認される。
【００３６】
図１１は、前記画像表示装置１０の制御部１４による画像転送制御の要部を説明するフローチャートであり、所定の周期で繰り返し実行されるものである。
【００３７】
先ず、ステップ（以下、ステップを省略する）Ｓ１において、前記タッチパネルディスプレイ１２（表示装置２２）に表示されるべき画像が存在するか否かが判断される。このＳ１の判断が否定される場合には、それをもって本ルーチンが終了させられるが、Ｓ１の判断が肯定される場合には、Ｓ２において、該当する画像情報が前記記憶部１６から読み出され、その画像情報に対応する画像が前記タッチパネルディスプレイ１２（表示装置２２）に表示される。次に、前記入力制御部２８の動作乃至操作入力過程に対応するＳ３において、前記タッチパネルディスプレイ１２（タッチパネル２４）による入力操作（接触操作）が検出される。次に、前記操作方向判定手段４０の動作乃至操作方向判定過程に対応するＳ４において、Ｓ３にて検出された前記タッチパネル２４を介しての入力操作が所定の方向へのスライド操作（転送ジェスチャ）であるか否かが判断される。このＳ４の判断が否定される場合には、Ｓ１０において、前記タッチパネルディスプレイ１２（表示装置２２）に次の表示順に係る画像が表示された後、本ルーチンが終了させられるが、Ｓ４の判断が肯定される場合には、前記通信対象判定手段４２の動作乃至通信対象判定過程に対応するＳ５において、Ｓ４にて判定された転送ジェスチャの操作方向に転送先端末となり得る外部端末２０（例えば他の画像表示装置１０′）が存在するか否かが判断される。このＳ５の判断が否定される場合には、Ｓ１０以下の処理が実行されるが、Ｓ５の判断が肯定される場合には、Ｓ６において、前記タッチパネルディスプレイ１２に図５に示すような画像送信確認画面が表示され、転送処理を実施するか否かすなわち前記コピーボタン５０或いは移動ボタン５２が押される等の操作が行われたか否かが判断される。このＳ６の判断が否定される場合には、Ｓ１０以下の処理が実行されるが、Ｓ６の判断が肯定される場合には、Ｓ７において、前記通信部１８を介して送信先の外部端末２０との間での接続処理が実行される。次に、Ｓ８において、対象となる外部端末２０に対する情報の送信が可能であるか否かが判断される。このＳ８の判断が否定される場合には、Ｓ１０以下の処理が実行されるが、Ｓ８の判断が肯定される場合には、前記情報送信制御手段４４及び表示制御手段４６の処理に対応するＳＡにおいて、図１２に示す画像送信／表示制御が実行され、Ｓ９において、対象となる画像情報の転送が終了した後、前述したＳ２以下の処理が実行される。
【００３８】
図１２は、図１１に示す画像転送制御のＳＡに係る画像送信／表示制御の要部を説明するフローチャートである。この制御では、先ず、ＳＡ１において、送信対象となる画像情報等の送信データが前記記憶部１６から読み出される。次に、ＳＡ２において、ＳＡ１にて読み出された送信データが画像情報（画像ファイル）であるか否かが判断される。このＳＡ２の判断が否定される場合には、ＳＡ３において、画像情報以外の送信データに係る送信画面が前記タッチパネルディスプレイ１２（表示装置２２）に表示された後、ＳＡ６以下の処理が実行されるが、ＳＡ２の判断が肯定される場合には、ＳＡ４において、送信に係る画像情報がその画像情報の送信方向に関して複数に分割されて部分画像情報とされる画像分割処理が実行される。次に、ＳＡ５において、ＳＡ４にて分割された複数の部分画像情報がその送信方向の先頭側から順番に送信されてゆく画像送信画面が前記タッチパネルディスプレイ１２（表示装置２２）に表示される。次に、ＳＡ６において、送信データとしての画像ファイル以外の情報が送信される、或いはＳＡ４にて分割された複数の部分画像情報がその送信方向の先頭側から順番に送信されるデータ送信処理が実行される。次に、ＳＡ７において、前記タッチパネルディスプレイ１２（表示装置２２）に対象となる送信データの送信が完了した旨を示す送信完了画面が表示された後、図１１に示すメインルーチンへ復帰させられる。以上の制御において、ＳＡ４及びＳＡ６が前記情報送信制御手段４４の動作乃至情報送信過程に対応する。
【００３９】
図１３は、図１２に示す画像送信／表示制御に対応して受信側の画像表示装置１０′において実行される受信側制御の要部を説明するフローチャートである。この制御では、先ず、ＳＢ１において、送信元の画像表示装置１０から前記通信部１８を介して受信された受信情報の処理が実行される。次に、ＳＢ２において、ＳＢ１にて受信された受信データは画像ファイルであるか否かが判断される。このＳＢ２の判断が否定される場合には、ＳＢ３において、画像情報以外の受信データに係る受信画面が前記タッチパネルディスプレイ１２（表示装置２２）に表示された後、ＳＢ６以下の処理が実行されるが、ＳＢ２の判断が肯定される場合には、ＳＢ４において、前記通信部１８を介して順次受信される複数の部分画像情報に対応する画像を前記タッチパネルディスプレイ１２（表示装置２２）に受信順に表示させる分割受信画像表示制御が実行される。次に、ＳＢ５において、複数の部分画像情報が全て受信された段階でそれら部分画像情報が連結される画像連結処理が実行される。次に、ＳＢ６において、前記タッチパネルディスプレイ１２（表示装置２２）に受信が完了した旨を示す受信完了画面が表示された後、本ルーチンが終了させられる。以上の制御において、ＳＡ５及びＳＢ４が前記表示制御手段４６の動作に対応する。
【００４０】
続いて、前記画像表示装置１０の制御部１４による画像転送制御乃至受信制御の他の態様を、図１４乃至図１６を用いて説明する。なお、以下の説明において、図１１乃至図１３を用いて前述した制御と共通のステップについては、同一の符号を付してその説明を省略する。
【００４１】
図１４は、前記画像表示装置１０の制御部１４による画像転送制御の他の一例の要部を説明するフローチャートであり、所定の周期で繰り返し実行されるものである。この制御は、送信先の外部端末２０（他の画像表示装置１０′）の有無を検出してから対象となる情報の送信処理（転送処理）を開始するものであり、前述したＳ３の処理に続いて、Ｓ５において、所定の方向に転送先端末となり得る外部端末２０（例えば他の画像表示装置１０′）が存在するか否かが判断される。このＳ５の判断が否定される場合には、前述したＳ１０以下の処理が実行されるが、Ｓ５の判断が肯定される場合には、前述したＳ６以下の処理が実行される。このように、前記情報送信制御手段４４は、必ずしも前記操作方向判定手段４０により判定された前記入力操作の操作方向と前記通信対象判定手段４２により判定された前記外部端末２０が存在する方向とが一致する場合に送信を行うものでなくともよく、その外部端末２０が所定の方向に有ると判定された場合において、その方向が前記操作方向判定手段４０により判定された前記入力操作の操作方向と一致するか否かに拘わらずその操作方向に向かって所定の画像情報を送信するものであってもよい。
【００４２】
図１５は、図１１又は図１４に示す画像転送制御のＳＡに係る画像送信／表示制御の他の一例の要部を説明するフローチャートである。この制御は、送信に係る画像情報を分割せずに送信するものであり、前述したＳＡ１の処理に続いて、ＳＡ３において、前記送信に係る画像情報の分割乃至その表示制御等の処理を行わない通常の送信データの送信画面に準ずる送信画面が前記タッチパネルディスプレイ１２（表示装置２２）に表示された後、前述したＳＡ６以下の処理が実行される。また、図１６は、図１５に示す画像送信／表示制御に対応して受信側の画像表示装置１０′において実行される受信側制御の要部を説明するフローチャートである。この制御では、前述したＳＢ１の処理に続いて、ＳＢ３において、前記順次受信される部分画像情報の表示制御乃至その連結制御等の処理を行わない通常の受信データの受信画面に準ずる受信画面が前記タッチパネルディスプレイ１２（表示装置２２）に表示された後、前述したＳＢ６以下の処理が実行される。このように、前記情報送信制御手段４４による画像情報の送信制御乃至その送信制御に対応する受信制御に際して、図５乃至図１０を用いて前述したような表示制御は必ずしも行われなくともよく、送信元の画像表示装置１０から送信先の画像表示装置１０′へ対象となる画像情報の送信のみが行われるものであってもよい。
【００４３】
このように、本実施例よれば、操作方向の要素を含む入力操作を受け付ける操作入力手段としての入力制御部２８（Ｓ３）と、外部端末２０に対して所定の信号を送信すること又はその外部端末２０から所定の信号を受信することでその外部端末２０との通信状態を判定する通信対象判定手段４２（Ｓ５）と、前記タッチパネル２４により受け付けられた入力操作の操作方向を判定する操作方向判定手段４０（Ｓ４）と、前記通信対象判定手段４２により前記外部端末２０と通信状態であると判定された場合において、前記操作方向判定手段４０により判定された前記入力操作の操作方向に対応付けられた条件で所定の画像情報を送信する情報送信制御手段４４（ＳＡ４及びＳＡ６）とを、備えたものであることから、操作方向の要素を含む直感的な操作によりその方向における外部端末２０に対して所定の画像情報を送信することができる。すなわち、直感的な操作で簡便に外部端末２０との通信を実現する画像表示装置１０を提供することができる。
【００４４】
また、前記通信対象判定手段４２は、前記タッチパネルディスプレイ１２を基準位置としてそれぞれ異なる複数の方向に向けて前記所定の信号を送信すること又はそれら複数の方向のうち何れかの方向から前記所定の信号を受信することでで、前記外部端末２０がそれら複数の方向のうち何れの方向に存在するかを判定できるものであり、前記情報送信制御手段４４は、前記操作方向判定手段４０により判定された前記入力操作の操作方向と前記通信対象判定手段４２により判定された前記外部端末２０が存在する方向とが一致する場合において、その方向に向かって前記所定の画像情報を送信するものであるため、所定の操作方向に係る直感的な入力操作に応じて、その方向に存在する外部端末２０に対して簡便且つ実用的な態様で所定の画像情報を送信することができる。
【００４５】
また、前記画像表示装置１０は更に、他の前記画像表示装置１０′に備えられた前記情報送信手段としての通信部１８′により送信された画像情報を受信する情報受信手段としての通信部１８を備えたものであるため、複数の前記画像表示装置１０相互間において、直感的な操作で簡便に情報の送受信を実現することができる。
【００４６】
また、前記通信対象判定手段４２により前記外部端末２０が無いと判定された場合には、前記情報送信制御手段４４は、前記画像情報の送信を行わないものであるため、通信対象である前記外部端末２０の存在が確認できない場合に、無駄な情報の送信が行われるのを抑制することができる。
【００４７】
また、前記情報送信制御手段４４は、前記送信に係る画像情報を、前記操作方向判定手段４０により判定されたその画像情報の送信方向に関して複数に分割すると共に、その分割された複数の部分画像情報をその送信方向の先頭側から順番に送信するものであり、前記通信部１８により受信される前記複数の部分画像情報を、受信順に逐次前記タッチパネルディスプレイ１２に並べて表示させる表示制御手段４６（ＳＡ５及びＳＢ４）を備えたものであるため、複数の前記画像表示装置１０相互間における画像情報の送受信に関して、直感的な操作に対応する視覚的な効果を実現することができる。
【００４８】
また、前記情報送信制御手段４４は、前記操作方向判定手段４０により判定された前記入力操作の操作方向に応じて前記画像情報の送信先である外部端末２０の割付を行い、その割付に従って対象となる外部端末２０へその画像情報の送信を行うものであるため、前記操作方向の要素を含む操作の時点でその操作方向に通信対象となる外部端末２０が存在しない場合であっても、その操作方向に割付られた所定の外部端末２０に対して後に前記画像情報の送信を行う等の制御が可能とされる。
【００４９】
また、本実施例に対応する画像表示方法は、操作方向の要素を含む入力操作を受け付ける操作入力過程（Ｓ３）と、外部端末２０に対して所定の信号を送信すること又はその外部端末２０から所定の信号を受信することでその外部端末２０との通信状態を判定する通信対象判定過程（Ｓ５）と、前記操作入力過程により受け付けられた入力操作の操作方向を判定する操作方向判定過程（Ｓ４）と、前記通信対象判定過程により前記外部端末２０と通信状態であると判定された場合において、前記操作方向判定過程により判定された前記入力操作の操作方向に対応付けられた条件で所定の画像情報を送信する情報送信過程（ＳＡ４及びＳＡ６）とを、含むことから、操作方向の要素を含む直感的な操作によりその方向における外部端末２０に対して所定の画像情報を送信することができる。すなわち、直感的な操作で簡便に外部端末２０との通信を実現する画像表示方法を提供することができる。
【００５０】
また、本実施例によれば、前記画像表示装置１０に備えられた制御装置を、操作方向の要素を含む入力操作を受け付ける操作入力手段としての入力制御部２８、前記外部端末２０に対して所定の信号を送信すること又はその外部端末２０から所定の信号を受信することでその外部端末２０との通信状態をを判定する通信対象判定手段４２、前記タッチパネル２４により前記入力制御部２８を介して受け付けられた入力操作の操作方向を判定する操作方向判定手段４０、及び、前記通信対象判定手段４２により前記外部端末２０と通信状態であると判定された場合において、前記操作方向判定手段４０により判定された前記入力操作の操作方向に対応付けられた条件で所定の画像情報を送信する情報送信制御手段４４として機能させる、操作方向の要素を含む直感的な操作によりその方向における外部端末２０に対して所定の画像情報を送信する画像表示プログラムを提供することができる。
【００５１】
以上、本発明の好適な実施例を図面に基づいて詳細に説明したが、本発明はこれに限定されるものではなく、更に別の態様においても実施される。
【００５２】
例えば、前述の実施例では、本実施例の画像表示装置１０が、前記外部端末２０として専ら他の画像表示装置１０′に対して画像情報等の送信データを送信する態様について説明したが、本発明はこれに限定されるものではなく、所定の規格の赤外線信号にて画像情報を受信し得る機器であれば、本発明の画像表示装置の通信対象たり得る。すなわち、本発明の画像表示装置は、同型の画像表示装置以外の外部端末に対しても前述した画像情報の送信制御を実行し得るものである。
【００５３】
また、前述の実施例において、前記操作方向判定手段４０、通信対象判定手段４２、情報送信制御手段４４、及び表示制御手段４６は、何れも前記制御部１４に機能的に備えられたものであったが、その一部乃至全部が同等の機能を奏する個別の制御部として前記制御部１４とは別体に備えられたものであってもよい。また、前記画像表示装置１０においては、前記タッチパネルディスプレイ１２の表示制御乃至入力情報処理を行う表示制御部２６及び入力制御部２８が前記制御部１４とは別体の制御部として備えられたものであったが、これらはその一方乃至両方が前記制御部１４に機能的に備えられたものであってもよい。
【００５４】
また、前述の実施例において、前記情報送信制御手段４４は、前記送信に係る画像情報を、前記操作方向判定手段４０により判定されたその画像情報の送信方向に関して複数に分割すると共に、その分割された複数の部分画像情報をその送信方向の先頭側から順番に送信するものであり、前記表示制御手４６は、前記通信部１８により受信される前記複数の部分画像情報を、受信順に逐次前記タッチパネルディスプレイ１２に並べて表示させるものであったが、例えば、送信に係る画像情報を分割することなく送信元の画像表示装置１０から送信先の画像表示装置１０′へ送信する態様においても、前述した図５乃至図１０に示すような画像表示制御に準ずる制御を実行することが可能である。すなわち、送信元の画像表示装置１０における表示制御手段４６は、前記情報送信制御手段４４による画像情報の送信に際して、その画像情報に対応する画像４８を分割することなく図５乃至図１０に示すように前記タッチパネルディスプレイ１２（表示装置２２）の表示領域外へ消えてゆくようにその送信方向に横スクロール表示させる一方、送信先の画像表示装置１０′における表示制御手段４６は、送信（受信）に係る画像情報が受信された段階でその画像情報に対応する画像４８を図５乃至図１０に示すように前記タッチパネルディスプレイ１２（表示装置２２）の表示領域内へ次第に現るようにその送信方向に横スクロール表示させる。斯かる制御によれば、送信先の画像表示装置１０′においては、送信に係る画像情報を受信し終わってからでないとその表示制御を開始できないものの、若干のタイムラグを許容することで画像情報を分割する処理を実行することなしに図５乃至図１０に示すような表示制御が可能とされる。
【００５５】
また、前述の実施例において、前記画像表示装置１０は、前記外部端末２０に対して所定の信号を送信すること又はその外部端末２０から所定の信号を受信することでその外部端末の有無を判定するための情報通信を行うための構成、及び送信先の外部端末２０に対して所定の画像情報を送信するための構成として共通の通信部１８を備えたものであったが、外部端末の有無を判定するための情報通信を行うための構成と、外部端末に対して所定の画像情報を送信するための構成とが、それぞれ個別の通信部として備えられたものであってもよい。
【００５６】
また、前述の実施例において、前記画像表示装置１０は、前記外部端末２０に対して前記通信部１８を介して所定の赤外線信号を送信すること又はその外部端末２０からその通信部１８により所定の赤外線信号を受信することでその外部端末の有無を判定するものであったが、例えば前記画像表示装置１０に隣接して配置された外部端末２０に対して超音波を発してその超音波の反射を検出すること等によりその外部端末２０の存在の有無を判定するものであってもよい。また、無線ＬＡＮ通信やブルートゥース通信等により前記外部端末２０との通信状態の判定、乃至その外部端末２０に対する画像情報の送信を行うものであっても構わない。
【００５７】
また、前述の実施例において、前記画像表示装置１０は、前記タッチパネル２４を所定の方向に向けてなぞる（スライドさせる）等のジェスチャが検出された場合、前記タッチパネルディスプレイ１２に図５に示すような画像送信確認画面を表示させるものであったが、このような画像送信確認画面は必ずしも表示させられなくともよく、前記タッチパネル２４により所定の操作方向の要素を含む入力操作が行われた場合には一律に前記送信制御を行うものであってもよい。
【００５８】
また、前述の実施例では、特に言及していないが、前記画像表示装置１０は前記外部端末２０との間の赤外線による情報の送受信に加えて、例えば公衆電話回線等の通信回線を介してサーバ等の他の装置との間で情報の通信が可能とされたものであってもよく、種々の付加的な機能が備えられ得るものであることは言うまでもない。
【００５９】
その他、一々例示はしないが、本発明はその趣旨を逸脱しない範囲内において種々の変更が加えられて実施されるものである。
【符号の説明】
【００６０】
１０、１０′：画像表示装置
１４：制御部（制御装置）
１６：記憶部（記憶装置）
１８、１８′：通信部（情報送信手段、情報受信手段）
２０：外部端末
２２：表示装置（ディスプレイ）
２８：入力制御部（操作入力手段）
４０：操作方向判定手段
４２：通信対象判定手段
４４：情報送信制御手段
４６：表示制御手段
４８：画像
５６ａ〜５６ｅ：部分画像
【図１】
2011065518.tif 000003
【図２】
2011065518.tif 000004
【図３】
2011065518.tif 000005
【図４】
2011065518.tif 000006
【図５】
2011065518.tif 000007
【図６】
2011065518.tif 000008
【図７】
2011065518.tif 000009
【図８】
2011065518.tif 000010
【図９】
2011065518.tif 000011
【図１０】
2011065518.tif 000012
【図１１】
2011065518.tif 000013
【図１２】
2011065518.tif 000014
【図１３】
2011065518.tif 000015
【図１４】
2011065518.tif 000016
【図１５】
2011065518.tif 000017
【図１６】
2011065518.tif 000018